(57)【要約】【課題】  解錠状態から意図せず施錠状態となることを防ぎ、且つ操作性が良好で、施錠状態から一動作では解錠状態にできないドアガードを備えるドアを提供する。【解決手段】  扉に設けたアームと、扉枠に設けた受具とを有し、アームは、係合孔と、係脱孔とを備え、受具は、本体と、回動体からなり、回動体は、係合部を有し、解錠状態と施錠状態とに回動自在であり、回動体に設けた嵌合部と、本体に設けた被嵌合部と、回動体を嵌合位置に付勢する付勢手段とを有し、嵌合部は、回動体の回転軸方向に突出する突起からなり、解錠状態及び施錠状態で被嵌合部と嵌合して解錠状態及び施錠状態を保持するものであり、解錠状態を保持する被嵌合部は、嵌合部の回転軌跡の接線に沿って延びる溝からなり、嵌合部が通過する部分に底部から開口部へ続く傾斜面を有するものであり、施錠状態を保持する被嵌合部は、嵌合部の回転軌跡上の穴からなる。【選択図】      図１
2011069163.tif 000002
【特許請求の範囲】
【請求項１】
扉と、扉枠とを備え、扉と扉枠の何れか一方に設けたアームと、他方に設けた受具とを有し、アームは、その長手方向に延びる係合孔と、係合孔に連続する係脱孔とを備え、受具は、本体と、本体に取り付けた回動体からなり、回動体は、係合部を有し、係合部が係脱孔から退避した解錠状態と、係合部が係脱孔に進入した施錠状態とに回動自在であり、係合部は、施錠状態において扉の開動作により係合孔に移動して係合するものであって、本体と回動体の何れか一方に設けた嵌合部と、他方に設けた被嵌合部と、双方の間に設けた付勢手段とを有し、嵌合部は、回動体の回転軸方向に突出する突起からなり、解錠状態及び施錠状態で被嵌合部と嵌合して解錠状態及び施錠状態を保持するものであり、解錠状態を保持する被嵌合部は、嵌合部の回転軌跡の接線に沿って延びる溝からなり、嵌合部が通過する部分に底部から開口部へ続く傾斜面を有するものであり、施錠状態を保持する被嵌合部は、嵌合部の回転軌跡上の穴からなるものであり、付勢手段は、回動体を嵌合位置に付勢するものであることを特徴とするドア。
【発明の詳細な説明】
【技術分野】
【０００１】
本発明は、扉を施錠状態のまま僅かに開くためのドアガードを備えるドアに関する。
【背景技術】
【０００２】
来訪者確認等のために、扉を施錠状態のまま僅かに開くためのドアガードについて、特許文献１に示すように、扉と扉枠の一方にアームを、他方に受具を設け、受具が本体と回動体を有し、回動体を回動させて解錠状態と施錠状態を切り替えられるようにしたものが公知である。さらにこの発明は、室外側から回動体を操作されないようにするために、回動体に嵌合部を、本体に被嵌合部を設け、施錠状態から解錠状態にする際には回動体を室内側に移動させて嵌合を解除しなければ回動させることができないようにしてある。また、特許文献２に示すように、嵌合部が鋼球とスプリングからなり、被嵌合部がくぼみからなる構成とし、くぼみを解錠状態の位置と施錠状態の位置の両方に設けて、嵌合によりそれぞれの状態を保持できるものも公知である。
【先行技術文献】
【特許文献】
【０００３】
【特許文献１】特開２０００−７３６４１号公報
【特許文献２】特開平１１−２１０３００号公報
【発明の概要】
【発明が解決しようとする課題】
【０００４】
しかしながら、特許文献１の発明においては、解錠状態の回動体が振動等で意図せず回動して施錠状態となり、住人がドアを室外側から開けられなくなってしまう場合があった。これを防止するため、解錠状態の位置にも被嵌合部を設けることも考えられるが、この場合、施錠状態にする際にも嵌合を解錠してから回動体を回動させなければならず、操作性が悪くなってしまう。また、特許文献２の発明においては、スプリングの弾力に抗すれば一動作で施錠状態から解錠状態にすることができるので、防犯性の面で問題があった。
【０００５】
本発明は、上記事情を鑑みたものであり、解錠状態から意図せず施錠状態となることを防ぎ、且つ操作性が良好であり、さらに施錠状態から一動作では解錠状態にできず防犯性が高いドアガードを備えるドアを提供することを目的とする。
【課題を解決するための手段】
【０００６】
本発明は、扉と、扉枠とを備え、扉と扉枠の何れか一方に設けたアームと、他方に設けた受具とを有し、アームは、その長手方向に延びる係合孔と、係合孔に連続する係脱孔とを備え、受具は、本体と、本体に取り付けた回動体からなり、回動体は、係合部を有し、係合部が係脱孔から退避した解錠状態と、係合部が係脱孔に進入した施錠状態とに回動自在であり、係合部は、施錠状態において扉の開動作により係合孔に移動して係合するものであって、本体と回動体の何れか一方に設けた嵌合部と、他方に設けた被嵌合部と、双方の間に設けた付勢手段とを有し、嵌合部は、回動体の回転軸方向に突出する突起からなり、解錠状態及び施錠状態で被嵌合部と嵌合して解錠状態及び施錠状態を保持するものであり、解錠状態を保持する被嵌合部は、嵌合部の回転軌跡の接線に沿って延びる溝からなり、嵌合部が通過する部分に底部から開口部へ続く傾斜面を有するものであり、施錠状態を保持する被嵌合部は、嵌合部の回転軌跡上の穴からなるものであり、付勢手段は、回動体を嵌合位置に付勢するものであることを特徴とする。
【発明の効果】
【０００７】
本発明によれば、解錠状態においては、突起からなる嵌合部が溝からなる被嵌合部に嵌合しており、付勢手段によって付勢されているから、振動等によって意図せず回動体が回動することはない。その一方で、被嵌合部は傾斜面を有しているから、回動体の回動動作に伴って嵌合部が傾斜面に乗り上げて嵌合が解除されるので、操作性は良好である。また、回動体を中立状態からある程度解錠状態に近づけ、嵌合部が傾斜面に差し掛かれば、回動体が解錠状態に誘導されるので、この場合も操作性が良好であり、さらに回動体が中立状態のままとなって、突出した係合部に衣服等が引っ掛かるのを防ぐ。ここで、特に被嵌合部が溝状であるから、点状の穴の場合と比べて回動体が誘導される範囲が広く、より解錠状態に遠い位置から誘導される。そして施錠状態においては、嵌合部と被嵌合部が嵌合しており、付勢手段によって付勢されているから、嵌合を解除しなければ回動体を回動させることができず、室外側からそのような操作を行うことは困難であるから、防犯性が高い。
【図面の簡単な説明】
【０００８】
【図１】解錠状態のアーム及び受具部分の説明図であり、（ａ）は側面図、（ｂ）は正面図、（ｃ）はＡ−Ａ線断面図、（ｄ）はＢ−Ｂ線断面図である。
【図２】解錠状態のアーム及び受具部分の上面図である。
【図３】嵌合部及び被嵌合部の拡大図であり、（ａ）は図１（ｃ）の拡大図、（ｂ）、（ｃ）及び（ｄ）はそれぞれ解錠状態、中立状態及び施錠状態のＣ−Ｃ線断面図である。
【図４】施錠状態のアーム及び受具部分の説明図であり、（ａ）は側面図、（ｂ）は正面図である。
【図５】扉を開放した状態のアーム及び受具部分の側面図である。
【図６】ドアの室内側正面図である。
【発明を実施するための形態】
【０００９】
以下、本発明の実施の形態を図面に基づいて説明する。なお、以下において上下左右とは、図６における上下左右を示すものとする。このドアは、図６に示すように、躯体開口部に設けた扉枠１０２に扉１０１を開閉自在に納めたものである。そして、図１及び図２に示すように、扉１０１の室内側面にアーム１が設けてあり、扉枠１０２の見込面に受具２が設けてある。
【００１０】
アーム１は上下方向に長尺で、その長手方向に延び左右方向に貫通する係合孔１１と、係合孔１１の上端に連続する係脱孔１２を有する。そしてアーム１は、その上端部に設けた水平方向軸１３回りに回動自在となるように、扉１０１に取り付けてある。受具２は、扉枠１０２に固定した本体２１と、本体２１に取り付けた回動体２２からなる。回動体２２は、見込方向軸２８回りに回動自在であり、回動中心から上方へ延びる係合部２３と、室内側に延びる把持部２９とを有する。このように構成したアーム１と受具２において、受具２の係合部２３がアーム１の係脱孔１２から退避した状態が解錠状態であり、係合部２３が係脱孔１２に進入した状態が施錠状態である。
【００１１】
さらに、図３（ａ）に示すように、回動体２２の室外側面には、回動中心に対して対称となる上下位置に、室外側に向けて突出する突起からなる嵌合部２４が形成してある。嵌合部２４の先端は、球面形状である。そして、本体２１には、回動体２２の室外側面に対向する室外側軸受３０と、室内側面に対向する室内側軸受３１とが形成されており、両軸受３０，３１により見込方向軸２８が軸支されており、さらに室外側軸受３０の室内側面（回動体２２の室外側面に対向する面）には被嵌合部２５が形成されている。被嵌合部２５は、図３（ｂ）〜（ｄ）に示すように、解錠状態における被嵌合部２５ａと、施錠状態における被嵌合部２５ｂからなり、解錠状態における被嵌合部２５ａは、嵌合部２４の回転軌跡の接線に一致し、且つ回動体２２の回動中心に対して対称となる上下位置に形成した水平方向に延びる溝からなる。そして、溝の断面は略半円形状であるから、溝の内側面全体が底部から開口部へ続く傾斜面２６となる。また溝の深さは嵌合部２４の高さより浅い。一方、施錠状態における被嵌合部２５ｂは、嵌合部２４の回転軌跡上で、且つ回動体２２の回動中心に対して対称となる左右位置に形成した円形の穴からなる。そして、穴は室外側軸受３０の室内側面に対して垂直に穿孔されており、穴の深さは嵌合部２４の高さより深い。さらに、回動体２２の室内側面と室内側軸受３１との間にはコイルバネからなる付勢手段２７を設けてあり、付勢手段２７は回動体２２を室外側に向けて付勢している。
【００１２】
次に、解錠状態、施錠状態及び相互の状態を切り替える場合について説明する。図１に示す状態は解錠状態であり、アーム１と受具２とは一切係合していない。この状態において、突起からなる嵌合部２４が溝からなる被嵌合部２５ａに嵌合しており（図３（ｂ））、さらに付勢手段２７によって回動体２２が室外側に付勢されており、すなわち嵌合部２４が被嵌合部２５ａに向けて付勢されているから、扉１０１の開閉による振動等によって意図せず回動体２２が回動することがなく、解錠状態が確実に維持される。そして、この解錠状態から施錠状態へ切り替えるには、把持部２９を摘んで回動体２２を室内側から見て反時計回りに９０度回転させればよい。この際、被嵌合部２５ａに傾斜面２６が形成されていることにより、回動体２２の回動動作に伴って嵌合部２４が傾斜面２６に乗り上げて嵌合が解除される。よって、回動体２２の回転という一動作で施錠状態とすることができるので、操作性が良好である。また、本実施例では被嵌合部２５ａが嵌合部２４の高さより浅いので、特に嵌合の解除が容易である。
【００１３】
施錠状態においては、突起からなる嵌合部２４が、嵌合部２４より深い穴からなる被嵌合部２５ｂに嵌合しており（図３（ｄ））、さらに付勢手段２７によって嵌合部２４が被嵌合部２５ｂに向けて付勢されているから、施錠状態が確実に維持される。そして図４に示すように、回動体２２の係合部２３がアーム１の係脱孔１２に進入している。この状態から扉１０１を開くと、係合部２３が係脱孔１２から係合孔１１へ移動していき、それに伴ってアーム１が水平方向軸１３回りに回転する。係合部２３が係合孔１１の先端に到達すると、アーム１は略水平となり、それ以上扉１０１を開くことはできず、アーム１の長さ分だけ開いた状態が維持される（図５）。そして、この施錠状態から解錠状態へ切り替えるには、扉１０１を閉じて係合部２３を係脱孔１２へ移動させ、把持部２９を摘んで回動体２２を室内側から見て時計回りに９０度回転させればよい。この際、嵌合部２４が被嵌合部２５ｂに嵌合しているから、回動体２２を付勢手段２７の付勢力に抗して室内側に移動させて、嵌合部２４と被嵌合部２５ｂとの嵌合を解除しなければ、回転させることができない。よって、施錠状態から解錠状態にするためには、回動体２２の室内側への移動と回転という二動作が必要であり、室外側から開いた扉１０１の隙間を通してそのような操作を行うことは困難であるから、防犯性が高い。また、このようにして回動体２２を回転させて解錠状態の位置に近づけていき、嵌合部２４が被嵌合部２５ａの傾斜面２６に差し掛かると、その後は回転力を加えなくても、付勢手段２７の付勢力により、嵌合部２４が傾斜面２６上を被嵌合部２５ａの底部に向けて進み、回動体２２が解錠状態の位置まで誘導されるので、操作性が良好である（図３（ｃ））。さらに、このように回動体２２が解錠状態の位置まで誘導されるから、回動体２２が中立状態のままとなって、突出した係合部２３に衣服等が引っ掛かることを防ぐ。そして、被嵌合部２５ａが水平方向に延びる溝状であることにより、点状の穴である場合と比べて、回動体２２が誘導される範囲が広く、より解錠状態に遠い位置から誘導される。
【００１４】
本発明は、上記の実施形態に限定されない。例えば、扉に受具を設け、扉枠にアームを設けたものや、嵌合部を本体に設け、被嵌合部を回動体に設けたものでもよい。また、解錠状態の被嵌合部は、断面半円形状のものに限られず、底面から開口側へ向けて溝幅が拡幅するように側壁を傾斜させて傾斜面としたもの等、傾斜面を有することにより、中立状態の回動体が解錠状態の位置に誘導され、且つ施錠時には嵌合部が傾斜面に乗り上げて容易に嵌合を解除できるものであればよい。さらに、被嵌合部の深さは限定されないが、解錠状態の被嵌合部については、嵌合部の高さより浅くすることでより嵌合の解除が容易となり、施錠状態の被嵌合部については、嵌合部の高さより深くすることでより外部からの嵌合の解除が困難となり防犯性が高くなる。
【符号の説明】
【００１５】
１  アーム
２  受具
１１  係合孔
１２  係脱孔
２１  本体
２２  回動体
２３  係合部
２４  嵌合部
２５，２５ａ，２５ｂ  被嵌合部
２６  傾斜面
２７  付勢手段
１０１  扉
１０２  扉枠
【図１】
2011069163.tif 000003
【図２】
2011069163.tif 000004
【図３】
2011069163.tif 000005
【図４】
2011069163.tif 000006
【図５】
2011069163.tif 000007
【図６】
2011069163.tif 000008